(57)【特許請求の範囲】
【請求項１】
複数枚の用紙を収容する第一用紙収容部と、この第一用紙収容部から用紙を一枚ずつ給紙する給紙手段と、前記第一用紙収容部に対して水平かつ並列に配設されると共に前記第一用紙収容部に収容した用紙と同一サイズの用紙を同一向きに収容する第二用紙収容部と、この第二用紙収容部に収容した用紙を前記第一用紙収容部へ一括して移送する用紙移送手段と、前記第一用紙収容部に収容した用紙の後端を押さえる押さえ位置と前記用紙移送手段による用紙の移送時には用紙の移送区域外へ回動により退避する退避位置とへ回動自在な押さえ部材と、を有する給紙装置において、
前記押さえ部材が押さえ位置に位置するときに前記第二用紙収容部に収容する用紙の移送方向の一側に向けて突出する円弧形状の突起を前記押さえ部材に設け、この突起は、前記押さえ部材が押さえ位置に位置するときにおいて、前記突起の外周面が用紙の移送方向の角に当接する位置にあることを特徴とする給紙装置。
【請求項２】
前記突起の外周面の形状は、前記押さえ部材の回動の中心から用紙の移送方向の角を半径とする円周の軌跡に沿った円弧形状であることを特徴とする請求項１に記載の給紙装置。
【発明の詳細な説明】
【０００１】
【発明の属する技術分野】
本発明は、複写機やプリンタ等の画像形成装置における給紙装置に関する。
【０００２】
【従来の技術】
従来、複写機、プリンタ等の画像形成装置内のスペースを有効利用したものとして、画像形成装置内の給紙装置において、同一サイズの用紙を同一方向に向けて、水平且つ並列に収容する二つの用紙収容部を設け、給紙側に位置する第一用紙収容部に収容した用紙を全て給紙した後に、第一用紙収容部の後方に位置する第二用紙収容部に収容した用紙を一括して第一用紙収容部へ自動的に移送するようにしている技術が知られている。この技術において、第二用紙収容部から第一用紙収容部への用紙の移送を正しい位置に行わないと、用紙の移送が正確に行われない。
【０００３】
これに対し、特開平７−２８５６８４号公報には、図１１に示すように、軸１００を中心に回動可能な一対のＬ字状部材１０１を設け、このＬ字状部材１０１により、第一用紙収容部に収容された用紙の後端の両端部を押さえ、これらＬ字状部材１０１にはそれぞれ、第二用紙収容部に収容する用紙１０２の横幅方向（給紙方向と直交する方向）の端部に向けて突出する突起１０３を設ける技術が開示されている。なお、図１１は、一方の字状部材１０１近傍のみ図示しており、他方のＬ字状部材１０１は、省略している。
【０００４】
これら突起１０３はそれぞれ、用紙１０２の移送方向の角より内側に位置しており、第二用紙収容部に用紙１０２を収容するときに、これら突起１０３を用紙収容位置の基準とし、第一用紙収容部に用紙１０２を移送するときは、Ｌ字状部材１０１が用紙の外側に回動して（図１１の矢印参照）、第二用紙収容部から第一用紙収容部に用紙１０２を移送するのである。
【０００５】
【発明が解決しようとする課題】
しかし、上述の技術において、各突起１０３は、用紙１０２の移送方向の角より内側に位置しており、Ｌ字状部材１０１が、矢印で示す用紙の外側に回動するとき、一点鎖線で示す各突起１０３が描く回動軌跡上に用紙１０２が存在する。これにより、Ｌ字状部材１０１に大きな負荷がかかるので、回動できなくなることがあり、用紙１０２の移送がスムーズに行われないという課題があった。
【０００６】
そこで、本発明は、用紙の移送がスムーズに行える給紙装置を提供することを目的とする。
【０００７】
【課題を解決するための手段】
請求項１に記載の発明は、複数枚の用紙を収容する第一用紙収容部と、この第一用紙収容部から用紙を一枚ずつ給紙する給紙手段と、前記第一用紙収容部に対して水平かつ並列に配設されると共に前記第一用紙収容部に収容した用紙と同一サイズの用紙を同一向きに収容する第二用紙収容部と、この第二用紙収容部に収容した用紙を前記第一用紙収容部へ一括して移送する用紙移送手段と、前記第一用紙収容部に収容した用紙の後端を押さえる押さえ位置と前記用紙移送手段による用紙の移送時には用紙の移送区域外へ退避する退避位置とへ移動自在な押さえ部材と、を有する給紙装置において、前記押さえ部材が押さえ位置に位置するときに前記第二用紙収容部に収容する用紙の横幅方向の端部に向けて突出する円弧形状の突起を前記押さえ部材に設け、この突起は、前記押さえ部材が押さえ位置に位置するときにおいて、用紙の移送方向の角が前記突起の外周面に当接する位置にあることを特徴とする。
【０００８】
この請求項１に記載の発明では、第一用紙収容部と第二用紙収容部とには、同一サイズの複数の用紙が同一向きで収容されており、第一用紙収容部の用紙が全て給紙された後に第二用紙収容部に収容された用紙が、用紙移送手段により一括して第一用紙収容部へ移送される。
【０００９】
押さえ部材は、用紙の移送前において、第一用紙収容部に収容された用紙の後端を押さえているが、用紙の移送時においては、この押さえ部材が回動により退避位置へ退避することにより用紙移送の妨げとならないようにする。ここで、用紙を第二収容部へ収容する際には、押さえ部材が押さえ位置に位置し、第二用紙収容部に収容する用紙の移送方向の角（以後、単に「用紙の角」という）が、この押さえ部材に設けた突起に当接することにより、用紙の前端が揃うので、第二用紙収容部への用紙の収容が正確になる。
【００１０】
また、第二用紙収容部へ収容する用紙を第一用紙収容部へ近づき過ぎた状態で収容しても、用紙の角が突起に当接する状態となるだけなので、用紙の正確な収容に支障が生じることを防止する。
【００１１】
用紙の角が突起に当接している状態で、押さえ部材を退避位置に退避させるのであるが、突起は用紙の角が当接する位置に位置しており、突起が描く回動軌跡上に用紙が存在しないので、押さえ部材の退避動作がスムーズに行え、用紙の移送がスムーズになる。
【００１２】
請求項２に記載の発明は、請求項１に記載の発明において、前記突起の外周面の形状は、前記押さえ部材の回動の中心から用紙の移送方向の角を半径とする円周の軌跡に沿った円弧形状であることを特徴とする。
【００１３】
この請求項２に記載の発明では、押さえ部材が押さえ位置から退避位置へ回動するとき、突起の外周面が円周の軌跡に沿った円弧形状をなしており、押さえ部材に負荷がかかりにくくなるので、押さえ部材の退避動作が更にスムーズになる。
【００１４】
【発明の実施の形態】
以下、添付図面を参照して、実施の形態を説明する。図１は、本発明にかかる複写機の全体構造を示す構成図であり、図示のように、複写機１は、上部に複写機本体２が設けられ、その下部に用紙を収納するための給紙装置３が設けられている。
【００１５】
給紙装置３内には、上下二段に配置された給紙カセット４、５が脱着自在に収納されている。上方に位置する給紙カセット４には、同一サイズの用紙を同一方向向きに収容する第一用紙収容部６と、第二用紙収容部７とが形成されている。第一用紙収容部６に収容された用紙の先端側上方には、図２に示すように、この用紙を一枚ずつ分離して給紙する給紙手段８が設けられている。
【００１６】
給紙手段８は、ピックアップローラ９と、一対の分離ローラ１０、１１により形成されている。また、給紙手段８に近接した位置には、用紙がなくなったことを検知するペーパエンド検知センサ１２、最上位の用紙が後述する底板２７の昇降機構２８の駆動により所定高さまで上昇したことを検知する高さ検知センサ１３が設けられている。なお、給紙カセット５側においても、同様な構成の給紙手段８、ペーパエンド検知センサ１２、高さ検知センサ１３が設けられている。
【００１７】
第二用紙収容部７は、第一用紙収容部６に収容された用紙がすべて給紙された後に、この第一用紙収容部６へ一括して移送する用紙を収容する。この第二用紙収容部７には、用紙が積載されると共に、図３に示すように、用紙の横幅方向に沿って三つに分割された底板１４ａ、１４ｂ、１４ｃ、収容した用紙の側縁を位置決めする固定式の一対のサイドフェンス１５ａ、１５ｂ、収容した用紙を一括して第一用紙収容部６へ移送する用紙移送手段１６、第二用紙収容部７に用紙が収容されているか否かを検知する用紙有無検知センサ１７等が設けられている。
【００１８】
用紙移送手段１６は、正逆転自在なステッピングモータ１８、ステッピングモータ１８の出力軸に連結された駆動プーリ１９、回動自在に支持された三個の従動プーリ２０、駆動プーリ１９と従動プーリ２０とに巻回されたタイミングベルト２１、タイミングベルト２１に連結されて前後方向（収容した用紙の横幅方向と直交する方向）へスライド自在なスライダ２２（図２参照）、スライダ２２に連結されると共に収容した用紙の後端を押さえる押圧板２３とにより構成されている。
【００１９】
なお、押圧板２３のスライダ２２への連結は、収容する用紙のサイズに応じて変更自在に行われている。また、スライダ２２には、側方へ突出した突出片２４が設けられており、この突出片２４を検知することによりスライダ２２が後方のホーム位置へ復帰したことを検知するホーム位置検知センサ２５と、スライダ２２が用紙の移送を終了する位置まで前進したことを検知する押し付け検知センサ２６とが設けられている。
【００２０】
第一用紙収容部６は、給紙手段８によって給紙される用紙を収容するためのものであり、この第一用紙収容部６には、用紙が載置される底板２７、底板２７を上下方向へ回動させる昇降機構２８、収容した用紙の横幅方向（給紙方向と直交する方向）へスライド自在な左右一対のサイドフェンス２９、収容した用紙の後端を押さえる左右一対の押さえ部材３０等が配置されている。
【００２１】
昇降機構２８は、図４に示すように、正逆転自在な昇降モータ３１、昇降モータ３１の出力軸３２にスライド自在に取り付けられたカップリング３３、カップリング３３を出力軸３２の先端方向へ付勢する圧縮スプリング３４、底板２７の下側に位置して回動自在に保持された加圧軸３５、加圧軸３５に固定された加圧板３６、加圧軸３５の一端に固定されると共にこの加圧軸３５とカップリング３３とを連結するピン３７とにより構成されている。
【００２２】
また、加圧板３６には下向きに屈曲して突出した突出片３８が形成されており、底板２７の下降時にこの突出片３８を検知することにより底板２７が最下位置まで下降したことを検知する底板下降検知センサ３９（図３参照）が設けられている。
【００２３】
一対の押さえ部材３０は、図５に示すように、全体の形状が略Ｌ字状をなしており、回動部３０ａと、この回動部３０ａにスライド自在に嵌合されたスライド部３０ｂとにより形成される。回動部３０ａの一端には支軸４０が設けられており、この支軸４０によりサイドフェンス２９に回動自在に設けられている。
【００２４】
一対の押さえ部材３０は、第一用紙収容部６に収容された用紙の後端を押さえる押さえ位置（図３の実線参照）と、前記用紙移送手段１６により、用紙が第一用紙収容部６へ移送されるときには、用紙の移送区域外へ退避する退避位置（図３の二点鎖線参照）とへ、支軸４０を支点にして回動する。この押さえ部材３０を押さえ位置と、退避位置とへ回動させる回動機構４１（図３参照）が底板２７の下側に設けられている。
【００２５】
回動機構４１は、図３に示すように、正逆転可能なステッピングモータ４２、ステッピングモータ４２の出力軸に連結されたピニオン（図示せず）、ピニオンと噛合うラック４３、４４、回動部３０ａから延出されると共にラック４３、４４の先端部に連結される延出部４５（図５参照）により構成されている。
【００２６】
なお、延出部４５とラック４３、４４との連結に関しては、図５に示すように、ラック４３、４４の先端部に立設されたボス４６を延出部４５に形成された長孔４７に嵌合させることにより行っている。第一収容部６に収容される用紙のサイズに応じてサイドフェンス２９と共に、押さえ部材３０をスライドさせた場合には、長孔４７に嵌合するボス４６を用紙サイズに対応するものに変更する。
【００２７】
押さえ部材３０のスライド部３０ｂには、図５に示すように、この押さえ部材３０が押さえ位置に位置するときに、第二用紙収容部７に収容する用紙の移送方向の一側に向けて突出する突起３０ｃが形成されている。
【００２８】
突起３０ｃは、第二用紙収容部７に収容された用紙と当接する外周面３０ｄが円弧形状をなしており、用紙の角がこの外周面３０ｄの略中央付近に当接している。円弧形状の外周面３０ｄは、図６に示すように、押さえ部材３０が軸４０を中心に矢印方向に回動するとき、一点鎖線で示す突起３０ｃが描く回動軌跡に沿って形成されている。突起３０ｃが用紙の移送方向の角に当接する位置に位置していることにより、突起３０ｃが描く回動軌跡が従来のように、用紙上に存在していない。従って、押さえ部材３０が退避位置に回動するとき、押さえ部材３０に負荷がかかりにくいので、押さえ部材３０は、スムーズに退避位置に回動できる。
【００２９】
一対の押さえ部材３０のうち、図３における上方に位置する押さえ部材３０の外方には、押さえ位置に位置する押さえ部材３０を、その押さえ位置において位置保持する保持手段４８が設けられている。
【００３０】
保持手段４８は、図７に示すように、ブラケット４９に取り付けられた支持部材５０、支持部材５０に回動自在に保持された軸５１、軸５１の一端に固定されたカム５２、軸５１の他端に固定されたリンク５３、ブラケット４９に固定されたソレノイド５４、ソレノイド５４のスライド軸５５に連結されたリンク５６、リンク５６に固定されると共に軸５１に固定されているリンク５３に形成された孔５７に嵌合されたピン５８、リンク５６を介してスライド軸５５を引っ張る引張りスプリング５９によって構成されている。
【００３１】
カム５２が押さえ部材３０の外側面に当接することにより、この押さえ部材３０及びラック４３、４４とピニオンとを介して連動する他方の押さえ部材３０を押さえ位置に保持するようになっている。
【００３２】
なお、支持部材５０は、図８に示すように、ブラケット４９にねじ６０により取り付けられており、収容する用紙のサイズに応じてサイドフェンス２９と共に押さえ部材３０を用紙の横幅方向へスライドさせた場合にも、支持部材５０の取り付け位置を変更することにより、カム５２を押さえ部材３０の外側面に当接させて押さえ部材３０を押さえ位置で固定できるようになっている。
【００３３】
上述した構成において、第一用紙収容部６と第二用紙収容部７とには、同一サイズの用紙が同一方向に向けて収容されており、コピー動作を開始した当初は、第一用紙収容部６に収容された用紙が給紙手段８により一枚ずつ給紙され、その用紙に対して複写機本体２内においてコピーが行われる。
【００３４】
ここで、第一用紙収容部６からの給紙動作を図９のフローチャートに基づいて説明する。先ず、複写機１のスタートボタンを押すと、昇降モータ３１が正転することにより、底板２７が上方へ回動し（Ｓ１）、高さ検知センサ１３がオンになったか否かが判断される（Ｓ２）。
【００３５】
最上位の用紙が所定高さ位置まで上昇することにより、高さ検知センサ１３がオンになると昇降モータ３１が停止し（Ｓ３）、ペーパエンド検知センサ１２がオンになったか否かが判断される（Ｓ４）。底板２７上に用紙がある場合にはペーパエンド検知センサ１２がオンとなりコピー動作が開始される（Ｓ５）。
【００３６】
コピー動作が開始された後はコピー枚数が設定枚数に達したか否かが判断され（Ｓ６）、設定枚数に達した場合にはコピー動作を終了し（Ｓ７）、昇降モータ３１が逆転することにより底板２７を下方へ回動させ（Ｓ８）、底板２７が最下位置へ回動したことを底板下降検知センサ３９が検知することにより（Ｓ９）、昇降モータ３１が停止し（Ｓ１０）、第二用紙収容部７からの用紙移送、又は、手作業で行われる用紙セットに備えて待機する。
【００３７】
一方、コピー動作が開始された後であってコピー枚数が設定枚数に達する以前は、ペーパーエンド検知センサ１２による検知（Ｓ１１）と、高さ検知センサ１３による検知（Ｓ１２）とが繰り返され、このコピー動作中に用紙がなくなったことをペーパエンド検知センサ１２が検知することによりコピー動作が終了する（Ｓ７）。また、このコピー動作中に高さ検知センサ１２がオフになると、（Ｓ１）へ戻って底板２７の上方への回動が行われる。
【００３８】
なお、底板２７上に用紙をセットしていない状態でスタートボタンを押したような場合には、底板２７が最上昇位置まで回動することにより高さ検知センサ１３がオンとなり（Ｓ２）、ついで、ペーパエンド検知センサ１２が設定時間を経過してもオンとならないため、昇降モータ３１が逆転され（Ｓ８）、底板２７は最下位置へ回動する。
【００３９】
次に、第二用紙収容部７から第一用紙収容部６への用紙の移送動作について図１０のフローチャートに基づいて説明する。先ず、第一用紙収容部６に用紙がある間は、図９に示したフローチャートに基づいた給紙動作が行われる（Ｓ１３）。第一用紙収容部６の用紙が全て給紙されてなくなったことがペーパーエンド検知センサ１２により検知されると、用紙有無検知センサ１７が第二用紙収容部７に用紙が収容されているか否かを判断し（Ｓ１４）、用紙が収容されていない場合にはそのまま終了する。
【００４０】
一方、第二用紙収容部７に用紙が収容されている場合には、ソレノイド５４がオンとなる（Ｓ１５）。そして、ソレノイド５４がオンとなることにより、図７に示すように、スライド軸５５及びリンク５６が矢印ａ方向へスライドすると共にリンク５３と軸５１とカム５２とが矢印ｂ方向へ回動し、カム５２が押さえ部材３０の外側面から外れる。なお、カム５２が押さえ部材３０の外側面から外れることにより、押さえ部材３０は図３において、二点鎖線で示す退避位置へ回動可能となる。
【００４１】
ソレノイド５４の駆動によりカム５２が押さえ部材３０の外側面から外れた後にステッピングモータ４２が正転し（Ｓ１６）、このステッピングモータ４２にピニオンを介して連結されたラック４３、４４がそれぞれ内側へスライドする。ラック４３、４４が内側にスライドすると、図３において実線で示した押さえ位置に位置する押さえ部材３０は、支軸４０を支点として二点鎖線で示した位置（退避位置）へ向けて回動する。
【００４２】
なお、ステッピングモータ４２の駆動は、ラック４３に設けられた突起（図示せず）が検知センサ６１によって検知されるまで行われ（Ｓ１７）、検知センサ６１が突起を検知することにより、押さえ部材３０が退避位置へ回動したことが確認されるとステッピングモータ４２が停止する（Ｓ１８）。
【００４３】
押さえ部材３０が退避位置へ回動した後にステッピングモータ１８が正転し（Ｓ１９）、ステッピングモータ１８の回動がタイミングベルト２１を介してスライダ２２に伝達される。回動を伝達されたスライダ２２が、押圧板２８と共に第一用紙収容部６へ向けてスライドすると共に、第二用紙収容部７に収容されている用紙を第一用紙収容部６へ向けて一括して移送する。
【００４４】
そして、押し付け検知センサ２６がスライダ２２の突出片２４を検知したか否かを判断し（Ｓ２０）、押し付け検知センサ２６が突出片２４を検知することによって用紙の移送が終了したことが確認されると、ステッピングモータ１８が逆転を開始し（Ｓ２１）、スライダ２２が押圧板２３と共にホーム位置へ向けてスライドする。
【００４５】
一方、ステッピングモータ１８が逆転を開始した直後に、ステッピングモータ４２も逆転を開始し（Ｓ２２）、ラック４３、４４が外方へスライドすると共に押さえ部材３０が退避位置から押さえ位置へ向けて回動する。そして、ステッピングモータ４２が規定パルス数逆転することにより押さえ部材３０が押さえ位置まで回動したことが確認されると、ステッピングモータ４２が停止する（Ｓ２４）。ステッピングモータ２４が停止した後に、ソレノイド５４がオフとなり（Ｓ２５）、カム５２が押さえ部材３０の外側面に当接する位置へ回動すると共に、押さえ部材３０を押さえ位置で固定する。
【００４６】
また、上述したステッピングモータ４２が規定パルス数逆転したか否かの判断（Ｓ２３）と並行してホーム位置検知センサ２５がオンとなったか否かの判断が行われ（Ｓ２６）、ホーム位置検知センサ２５がオンとなって、スライダ２２がホーム位置へ戻ったことが確認されると、ステッピングモータ１８が停止する（Ｓ１８）。
【００４７】
そして、これらの動作が終了した後、第一用紙収容部６へ移送した用紙が図８に示したフローチャートに基づいて給紙される（Ｓ２８）。この第一用紙収容部６に用紙がなくなった場合には、第二用紙収容部７に用紙が収容されているか否かが再度検知され（Ｓ２９）、収容されている場合には、上述したように第二用紙収容部７から第一用紙収容部６への用紙の移送（Ｓ１５〜Ｓ２７）が繰り返される。
【００４８】
ここで、用紙を第二用紙収容部７へ収容するために給紙カセット４を給紙装置３外に引き出した際には、押さえ部材３０が押さえ位置へ回動しており、突起３０ｃが第二用紙収容部７へ収容する用紙の移送方向の一側に向けて突出していることにより、用紙の先端が揃うので、この突起３０ｃを基準として第二用紙収容部７への用紙の収容が行える。従って、第二用紙収容部７への用紙の収容を正しい位置へ迅速に行えるようになる。しかも、押さえ部材３０に突起３０ｃを設けるだけであり、極めて簡単な構成となっている。更に、収容する用紙のサイズを変更した場合においても、特別な調整作業を行う必要がなく、収容する全てのサイズの用紙に対して突起３０ｃは収容位置の基準となる。
【００４９】
また、第二用紙収容部７へ収容した用紙が第一用紙収容部６へ近付け過ぎた状態となっても、この用紙は、その移送方向の角が突起３０ｃの外周面３０ｄに当接する状態となるだけであり、その当接面積が小さいと共に押さえ部材３０を退避位置へ回動させる際に突起３０ｃが描く回動軌跡（図６一点鎖線参照）上に用紙が存在していないので、押さえ部材３０の回動動作が支障なく行われる。これにより、第二用紙収容部７から第一用紙収容部６への用紙の移送がスムーズに行われる。
【００５０】
次に、押さえ部材３０が押さえ位置に位置している場合には、保持手段４８のカム５２が押さえ部材３０の外側面に当接して押さえ部材３０を押さえ位置で保持している。このため、押さえ部材３０に大きな外力が作用することにより、ステッピングモータ４２が空回りしてラック４３、４４がスライドすることによる押さえ部材３０が退避位置へ回動するということが確実に防止できる。従って、用紙の後端を押さえている押さえ部材３０が退避位置に回動したために、先端側を持ち上げた状態で収容されている用紙が後端側へずれた状態となって不送りやジャムの原因になるということが防止される。
【００５１】
なお、カム５２が押さえ部材３０を保持する位置は、支持部材５０の取り付け位置を変更することにより収容する用紙のサイズに応じて変更することができる。従って、どのようなサイズの用紙を収容する場合においても、押さえ部材３０による用紙の後端の押さえを確実に行える。
【００５２】
次に、給紙カセット４内に、Ａ３、Ｂ４サイズのような大きいサイズの用紙、又は、Ａ４、Ｂ５サイズの用紙を縦置きに収容する場合には、押圧板２３とスライダ２２との連結位置を一定として、操作部（図示せず）において、用紙サイズを入力した時点でステッピングモータ１８により押圧板２３をスライダ２２と共にスライドさせ、この押圧板２３を用紙の後端を押さえるエンドフェンスとして用いるようにする。
【００５３】
なお、本発明は、上述の実施の形態に限定されず、その要旨を逸脱しない範囲内において、種々の変形が可能である。本実施の形態において、突起３０ｃの外周面３０ｄの略中央の位置に、用紙の角を当接させたが、これに限定されず、例えば、用紙の角と同じ位置に外周面３０ｄの先端が位置してもよく、突起３０ｃの外周面３０ｄが用紙の移送方向の角に当接する位置であれば良い。
【００５４】
【発明の効果】
請求項１に記載の発明では、押さえ部材の突起を用紙の角が当接する位置に設けたことにより、第二用紙収容部への用紙の収容が正確になり、用紙の正確な収容に支障が生じることを防止する。また、押さえ部材の退避動作がスムーズに行え、用紙の移送がスムーズになる。
【００５５】
請求項２に記載の発明では、突起の外周面の形状は、前記押さえ部材の回動の中心から用紙の移送方向の角を半径とする円周の軌跡に沿った円弧形状であるので、押さえ部材の退避動作が更にスムーズになる。
【図面の簡単な説明】
【図１】本発明を適用した複写機の全体構造を概略的に示す構成図である。
【図２】第一用紙収容部と第二用紙収容部とを拡大して示す断面図である。
【図３】給紙カセットの構成を示す平面図である。
【図４】底板を回動させる回動機構を示す斜視図である。
【図５】押さえ部材及び押さえ部材に設けた突起と第二用紙収容部に収容された用紙との関係を示す斜視図である。
【図６】押さえ部材に設けた突起の近傍を拡大して概略的に示す平面図である。
【図７】保持手段の構成を示す斜視図である。
【図８】保持手段の一部であるカムの取り付け構造を示す斜視図である。
【図９】第一用紙収容部からの給紙動作を説明するフローチャートである。
【図１０】第二用紙収容部から第一用紙収容部への用紙の移送動作を説明するフローチャートである。
【図１１】従来にかかる押さえ部材の構成を概略的に示す平面図である。
【符号の説明】
３      給紙装置
６      第一用紙収容部
７      第二用紙収容部
８      給紙手段
１６    用紙移送手段
３０    用紙押さえ部材
３０ｃ  突起
３０ｄ  外周面
【図１】
0003638213.tif 000002
【図２】
0003638213.tif 000003
【図３】
0003638213.tif 000004
【図４】
0003638213.tif 000005
【図５】
0003638213.tif 000006
【図６】
0003638213.tif 000007
【図７】
0003638213.tif 000008
【図８】
0003638213.tif 000009
【図９】
0003638213.tif 000010
【図１０】
0003638213.tif 000011
【図１１】
0003638213.tif 000012